(57)【特許請求の範囲】
【請求項１】
測定対象の移動端末機（１１）に信号を出力する送信手段（５）と、
前記移動端末機の送信電力の変化量であるステップサイズを前記移動端末機に設定するための制御信号を前記送信手段から前記移動端末機に送信させるとともに、この設定されたステップサイズで送信電力を変化させるための制御信号を前記送信手段から前記移動端末機に送信させる制御部（２４）と、
前記移動端末機からの送信信号を受信する受信手段（６）と、
該受信手段で受信した前記送信信号のスロット毎の電力値を検出する解析部（７）とを備え、
前記移動端末機の前記送信電力を前記制御部からの制御によって変化させたときの前記スロット毎の電力値を前記解析部によって検出する送信電力制御測定を、複数の前記ステップサイズそれぞれで実行する送信電力制御試験を行う移動端末機試験装置（２１）において、
前記移動端末機に前記ステップサイズが設定される度に、この設定されたステップサイズを記憶する端末情報記憶手段（２２）を備え、
前記制御部は、前記送信電力制御試験を行う前に最後に前記端末情報記憶手段に記憶された第１のステップサイズで前記送信電力を変化させて、第１の前記送信電力制御測定を実行し、且つその後に、前記第１のステップサイズと異なる第２のステップサイズを前記移動端末機に設定するように制御するとともに該第２のステップサイズを前記端末情報記憶手段に記憶させ、該第２のステップサイズで前記送信電力を変化させて、第２の前記送信電力制御測定を実行することを特徴とする移動端末機試験装置。
【請求項２】
前記制御部は、前記第１の送信電力制御測定を実行するときに、前記第１のステップサイズを測定実行ステップサイズとして記憶し、前記第２の送信電力制御測定を実行するときに、この測定実行ステップサイズとして記憶されていないステップサイズを前記第２のステップサイズとして前記移動端末機に設定するように制御することを特徴とする請求項１に記載の移動端末機試験装置。
【請求項３】
表示器（１０）と、
前記解析部で検出されたスロット毎の電力値を時系列に連続して並べて前記表示器にグラフ表示する表示制御手段（２５）とを備え、
前記表示制御手段は、
複数の前記ステップサイズ別にそれぞれ前記電力値を時系列に連続して並べ、さらにこのステップサイズ別に並べた前記電力値を、前記ステップサイズが小さいものから順に並べてグラフ表示することを特徴とする請求項１乃至２に記載の移動端末機試験装置。
【請求項４】
前記解析部で検出された電力値が正常か異常かをスロット毎に判定する判定手段（８）を備え、
前記表示制御手段は、
前記判定手段で電力値が正常と判定されたスロットと異常と判定されたスロットとを前記グラフ中に異なる色で表示することを特徴とする請求項３に記載の移動端末機試験装置。
【請求項５】
前記解析部で検出された電力値が正常か異常かをスロット毎に判定する判定手段（８）と、
前記表示制御手段によって表示される表示内容を設定する設定操作手段（２３）とを備え、
前記表示制御手段は、
前記グラフ中にマーカ（４１）を表示するとともに、前記設定操作手段の設定操作に基づいて、前記判定手段で電力値が異常と判定されたスロットの位置に前記マーカを表示することを特徴とする請求項３に記載の移動端末機試験装置。
【請求項６】
前記解析部で検出された電力値が正常か異常かをスロット毎に判定する判定手段（８）と、
前記表示制御手段によって表示される表示内容を設定する設定操作手段（２３）とを備え、
前記表示制御手段は、
前記設定操作手段の設定操作に基づいて、前記判定手段で電力値が異常と判定されたスロットを含む連続する複数のスロットの電力値をグラフ表示することを特徴とする請求項３に記載の移動端末機試験装置。
【請求項７】
前記表示制御手段は、
前記グラフ中にマーカ（４１）を表示するとともに、前記設定操作手段の設定操作に基づいて、前記判定手段で電力値が異常と判定されたスロットの位置に前記マーカを表示することを特徴とする請求項６に記載の移動端末機試験装置。
【請求項８】
前記表示制御手段は、
移動可能なマーカ（４１）を前記グラフ中に表示し、
前記移動端末機試験装置は、
前記解析部で検出された電力値が正常か異常かをスロット毎に判定する判定手段（８）と、
前記マーカを移動操作するための設定操作手段（２３）と、
前記判定手段で電力値が異常と判定されたスロットの位置に、前記設定操作手段によって前記マーカが移動したとき、アラームを発生するアラーム発生手段（２６）とを備えたことを特徴とする請求項３に記載の移動端末機試験装置。
【発明の詳細な説明】
【技術分野】
【０００１】
本発明は、測定対象の移動端末機の送信電力を解析し、この移動端末機の送信電力制御機能を試験する移動端末機試験装置に関する。
【背景技術】
【０００２】
例えば携帯電話機などの移動端末機の通信方式として、ＣＤＭＡ方式が知られている。図９に、例として、このＣＤＭＡ方式の一つであるＷ−ＣＤＭＡ方式のアップリンク（移動端末機から基地局への送信）のフレームフォーマットを示す。Ｗ−ＣＤＭＡ方式においては、通信の単位として、フレーム長１０ｍｓのフレームが規定されている。１つのフレームは、Ｓｌｏｔ＃０〜Ｓｌｏｔ＃１４の合計１５のスロットから成っており、１つのスロットのスロット長は６６７μｓである。各スロットは、ユーザ・データを伝送するデータチャネルであるＤＰＤＣＨと、制御情報を伝送する制御チャネルであるＤＰＣＣＨとが多重されている。ＤＰＣＣＨは、基準信号であるパイロット信号、伝送フォーマットの情報であるＴＦＣＩ、フィードバック情報であるＦＢＩ、送信電力制御指示であるＴＰＣから成っている。
【０００３】
なお、このアップリンクにおけるＴＰＣは、移動端末機から基地局に対して送信電力制御を指示するものであるが、逆にダウンリンク（基地局から移動端末機への送信）のフレームのスロットには、基地局から移動端末機に対して送信電力制御を指示するＴＰＣが含まれている。このダウンリンクのＴＰＣにより、移動端末機の送信電力は、アップリンクのスロット単位で制御される。
【０００４】
このように基地局から移動端末機の送信電力を制御する機能は、クローズドループパワーコントロール（ＣｌｏｓｅｄＬｏｏｐ Ｐｏｗｅｒ Ｃｏｎｔｒｏｌ。インナーループパワーコントールと呼称される場合もある。以下、省略してＣＬＰＣと記載する。）と呼ばれている。ＣＬＰＣでは、基地局が移動端末機からの信号を受信して測定し、この測定結果に基づいて移動端末機の送信電力の増減を前述のＴＰＣにより移動端末機に指示し、この指示に応じて信号を増減させて出力するように移動端末機の送信電力が制御される。なお、この送信電力の増減の単位は、ＣＬＰＣ機能におけるスロット間の電力の変化量の設定値であるステップサイズで決まり、このステップサイズは基地局から移動端末機に設定される。
【０００５】
つまり、移動端末機は、基地局からのＴＰＣによる送信電力の増加又は低下（減少）の指示を受けると、自己に設定されているステップサイズの分だけ送信電力を増加又は低下させて信号を出力する。この送信電力の増加又は低下は、前述の通り、アップリンクのスロット単位で行われる。
【０００６】
このような移動端末機に対して、上述のＣＬＰＣ機能の試験を行う移動端末機試験装置が従来から知られている。図１０に、そのような従来の移動端末機試験装置１の構成を示す。
【０００７】
図１０の移動端末機試験装置１は、接続端子１ａ、方向性結合器２、電力制御設定手段３、制御部４、送信手段５、受信手段６、解析部７、判定手段８、表示制御手段９、表示器１０から構成されている。さらに、送信手段５は、電力制御要求手段５ａ、送信回路５ｂから構成されている。また、受信手段６は、受信回路６ａ、Ａ／Ｄ変換器６ｂ、メモリ６ｃから構成されている。また、解析部７は、スロット検出手段７ａ、スロット電力検出手段７ｂ、解析結果メモリ７ｃから構成されている。
【０００８】
接続端子１ａは、試験対象の移動端末機１１が同軸ケーブルにより接続可能となっている。接続端子１ａは、方向性結合器２を介して送信回路５ｂと受信回路６ａにそれぞれ接続される。
【０００９】
電力制御設定手段３は、移動端末機１１から送信させる信号のスロット数、送信電力の増減、ステップサイズ等の情報を制御部４を介して電力制御要求手段５ａに設定している。また、電力制御設定手段３は、試験開始や試験停止の指令も行なっている。
【００１０】
制御部４は、電力制御設定手段３からの設定情報に基づき、電力制御要求手段５ａに対して、移動端末機１１から送信させる信号のスロット数、送信電力の増減、ステップサイズ等の情報の設定を制御している。また、制御部４は、電力制御設定手段３より試験開始が指令されたときに、解析部７のスロット検出手段７ａに測定の開始を知らせる信号を出力し、所定の測定時間が経過した後に測定の終了を知らせる信号を出力している。
【００１１】
電力制御要求手段５ａは、制御部４の制御により設定されるスロット数、送信電力の増減、ステップサイズ等の情報に対応した送信要求信号を送信回路５ｂに出力している。また、電力制御要求手段５ａは、送信回路５ｂに送信要求信号を出力するタイミングで解析部７のスロット検出手段７ａにトリガ信号を出力している。
【００１２】
送信回路５ｂは、制御部４の制御に基づく電力制御要求手段５ａからの送信要求信号を受けると、電力制御要求手段５ａの送信要求信号の内容に対応した制御情報を方向性結合器２および接続端子１ａを介して移動端末機１１に出力している。そして、移動端末機１１は、送信回路５ｂからの制御情報を受けると、その制御情報の内容に対応した送信電力の信号を出力する。その際、スロット単位で送信電力が制御されて送信される。
【００１３】
受信手段６の受信回路６ａは、移動端末機１１から送信された信号を接続端子１ａ、方向性結合器２を介して受信している。この受信回路６ａで受信された信号は、Ａ／Ｄ変換器６ｂに入力される。なお、受信回路６ａの受信周波数は、移動端末機１１から出力される信号の搬送周波数に等しくなるように、予め制御部４によって設定制御されている。
【００１４】
Ａ／Ｄ変換器６ｂは、受信した信号をディジタル信号に変換し、その波形データをメモリ６ｃへ出力する。メモリ６ｃは、Ａ／Ｄ変換器６ｂから出力される移動端末機１１からの送信信号の波形データを、制御部４からの測定開始を知らせる信号を受けてから測定終了を知らせる信号を受けるまでの間連続的に記憶する。なお、このメモリ６ｃは、データの書き込みとデータの読み出しとが独立に行なえる構造のものである。
【００１５】
メモリ６ｃに記憶された波形データは、解析部７によって読み出され解析される。解析部７は、ＤＳＰ（ディジタルシグナルプロセッサ）等によって構成されており、スロット検出手段７ａ、スロット電力検出手段７ｂおよび解析結果メモリ７ｃを有している。
【００１６】
スロット検出手段７ａは、電力制御要求手段５ａからトリガ信号が入力されると、メモリ６ｃに記憶された波形データをその記憶順に読み出しながら波形データに含まれるスロット数を検出している。ここで、波形データとは、横軸が時間（メモリではアドレス）、縦軸が電圧レベル（メモリの値）であるが、縦軸を電圧レベルから電力値に換算して用いることもできる。
【００１７】
スロット電力検出手段７ｂは、スロット検出手段７ａが検出したスロット毎の電力値を算出している。また、あるスロットと、このスロットから規定されたスロット間隔数だけ離れたスロットとの電力の差をスロット間の電力の変化量として算出している。
【００１８】
解析結果メモリ７ｃは、スロット検出手段７ａおよびスロット電力検出手段７ｂによって検出されたスロット数、各スロットの電力値、スロット間の電力の変化量を解析結果として記憶している。
【００１９】
判定手段８は、スロット間の電力の変化量について、電力制御要求手段５ａに記憶されている内容と、解析結果メモリ７ｃに記憶された内容とを比較し、測定対象の移動端末機１１の送信機能が正常か否かを判定し、移動端末機１１の動作チェックを行っている。つまり、解析結果メモリ７ｃに記憶されたスロットそれぞれについて、スロット間の電力の変化量が設定されたステップサイズにおける許容誤差範囲に収まっているかを判定する。例えば、ステップサイズが１ｄＢ、許容誤差範囲が１±０．５ｄＢのとき、あるスロットとその１つ前のスロットとの電力の差が０．８ｄＢであれば正常スロット、１．７ｄＢであれば異常スロットと判定する。
【００２０】
表示制御手段９は、解析結果メモリ７ｃに記憶されたスロット毎の電力値を時系列に並べてグラフ表示させる表示データを作成し、必要ならば判定手段８の判定結果を併せて、表示器１０に表示させる。
【００２１】
移動端末機試験装置１の動作を、図１１を用いて説明する。図１１は、ＣＬＰＣ機能の試験について表したフローチャートである。ここでは、ＣＬＰＣ機能の試験は、移動端末機１１のステップサイズを１ｄＢ、２ｄＢ、３ｄＢとし、それぞれのステップサイズについて、移動端末機１１の送信電力を制御したときの、移動端末機１１からの送信信号の電力値を測定するものとして例示している。
【００２２】
まず、電力制御設定手段３からの情報により、制御部４を介してＣＬＰＣ機能の試験を行うための設定が移動端末機試験装置１の各部に対してなされ、電力制御設定手段３からの指令で測定が開始される（Ｓ１）。
【００２３】
そして、電力制御要求手段５ａが送信回路５ｂに対して、移動端末機１１の送信電力をＣＬＰＣ測定規格における最大送信電力以上に制御するための制御信号を出力する。ここで、ＣＬＰＣ測定規格における最大送信電力は、移動端末機１１の最大送信電力規格値（物理的な最大送信電力）よりもやや小さい値が定められている。送信回路５ｂは、電力制御要求手段５ａからの制御信号を受け、これに対応した制御情報を方向性結合器２および接続端子１ａを介して移動端末機１１に出力し、移動端末機１１の送信電力をＣＬＰＣ測定規格における最大送信電力以上に設定させるように制御する（Ｓ２）。
【００２４】
さらに、電力制御要求手段５ａからの要求により、送信回路５ｂ、方向性結合器２および接続端子１ａを介して、移動端末機１１に対して、移動端末機１１の送信電力制御のステップサイズを１ｄＢとする設定がなされる（Ｓ３）。
【００２５】
同様に、電力制御要求手段５ａから移動端末機１１に対して送信要求がなされ、移動端末機１１がＣＬＰＣ測定規格における最大送信電力以上の送信電力での送信を開始する。そして、移動端末機１１からの信号は受信回路６ａで受信される。受信回路６ａで受信された信号は、Ａ／Ｄ変換器６ｂによってディジタルの波形データに変換され、メモリ６ｃへの波形データの記憶が開始される。それとともに、スロット検出手段７ａはメモリ６ｃへ記憶された波形データを読み出し、制御部４又は電力制御要求手段５ａからの情報に基づいて各スロットの開始位置を検出する。スロット電力検出手段７ｂは、スロット検出手段７ａで検出されたスロットそれぞれの電力値を検出し、解析結果メモリ７ｃに記憶する（Ｓ４）。スロット検出手段７ａ、スロット電力検出手段７ｂ、解析結果メモリ７ｃのこれらの動作は、メモリ６ｃへの波形データの記憶が終了するまで逐次行われる。
【００２６】
そして、電力制御要求手段５ａから移動端末機１１に対して、現在設定されているステップサイズ分だけ送信電力を低下させる要求がなされ、移動端末機１１は、現在設定されているステップサイズ分だけ送信電力を低下させて送信を継続する（Ｓ５）。なお、この送信電力の変更はスロット単位で行われる。
【００２７】
ここで、制御部４は、移動端末機１１の送信電力が、ＣＬＰＣ測定規格における最小送信電力以下となっているか否かの判定を行う（Ｓ６）。ここで、移動端末機１１の最小送信電力規格値（物理的な最小送信電力）は、ＣＬＰＣ測定規格における最小送信電力以下となるようにされている。つまり、移動端末機１１は、ＣＬＰＣ測定規格における最小送信電力以下の送信電力で送信できるようにされている。移動端末機１１の送信電力が、ＣＬＰＣ測定規格における最小送信電力以下となっていない場合（Ｓ６−Ｎｏ）は、さらに送信電力を低下させる制御を行う（Ｓ５）。移動端末機１１の送信電力が、ＣＬＰＣ測定規格における最小送信電力以下となっている場合（Ｓ６−Ｙｅｓ）は、電力制御要求手段５ａから移動端末機１１に対して、現在設定されているステップサイズ分だけ送信電力を増加させる要求がなされ、移動端末機１１は、現在設定されているステップサイズ分だけ送信電力を増加させて送信を継続する（Ｓ７）。
【００２８】
そして、制御部４は、移動端末機１１の送信電力が、ＣＬＰＣ測定規格における最大送信電力以上となっているか否かの判定を行う（Ｓ８）。移動端末機１１の送信電力が、ＣＬＰＣ測定規格における最大送信電力以上となっていない場合（Ｓ８−Ｎｏ）は、さらに送信電力を増加させる制御を行う（Ｓ７）。移動端末機１１の送信電力が、ＣＬＰＣ測定規格における最大送信電力となっている場合（Ｓ８−Ｙｅｓ）は、制御部４は、ＣＬＰＣ測定規格における全てのステップサイズ設定について、上述した、移動端末機１１の送信電力を最大送信電力以上→最小送信電力以下→最大送信電力以上と制御してその送信電力の測定を実施したか否かを判定する（Ｓ９）。全て実施していない場合（Ｓ９−Ｎｏ）は、移動端末機１１のステップサイズの設定を、測定を実施していない別のステップサイズに変更するよう、電力制御要求手段５ａから移動端末機１１に対して、ステップサイズ設定を行う（Ｓ１０）。例えば、現在設定されているステップサイズが１ｄＢであれば、＋１ｄＢさせて、ステップサイズを２ｄＢに設定する。
【００２９】
制御部４は、全てのステップサイズについて、移動端末機１１の送信電力の測定を実施したと判定する（Ｓ９−Ｙｅｓ）と、メモリ６ｃへの波形データの記憶と、解析結果メモリ７ｃへの検出されたスロットの電力値の記憶とを終了する（Ｓ１１）。表示制御手段９は、解析結果メモリ７ｃに記憶されている検出されたスロットの電力値を読み出し、これらの電力値を時系列に連続して並べてグラフ表示するための表示データを作成する。そして、表示制御手段９は、この表示データを表示器１０に表示させる（Ｓ１２）。
【００３０】
図１２は、上述のＣＬＰＣ機能の試験について、移動端末機試験装置１と移動端末機１１とのシーケンスを表した図である。以下、本図の図中に記した記号（ａ）〜（ｊ）に従って、シーケンスを説明する。
【００３１】
（ａ）において、同軸ケーブルで接続された状態の移動端末機試験装置１と移動端末機１１との間で、通信のやり取りが行われ、通信の接続の確立が行われる。この際、移動端末機１１に対して、初期値としてのステップサイズが設定される。そして、（ｂ）で移動端末機試験装置１でＣＬＰＣ機能の試験の開始が指示される。なお、（ａ）から（ｂ）の間に、別な試験が行われる場合もあり、その際に移動端末機１１のステップサイズは変更されている場合もある。
【００３２】
（ｃ）において、移動端末機試験装置１は、移動端末機１１の送信電力をＣＬＰＣ測定における最大電力とするように、移動端末機１１に対して制御を行う。なお、図１２の例では、このとき移動端末機１１に設定されているステップサイズは２ｄＢであるとする。
【００３３】
移動端末機試験装置１は、ＣＬＰＣ機能の試験について、移動端末機１１のステップサイズを１ｄＢ、２ｄＢ、３ｄＢの順に変更し、それぞれのステップサイズでのスロット毎の電力値を測定するように定められている。このため、（ｄ）において、移動端末機試験装置１は、移動端末機１１のステップサイズを、先ず１ｄＢに設定する。
【００３４】
（ｅ）において、移動端末機試験装置１は、移動端末機１１の送信電力をＣＬＰＣ測定における最大電力から最小電力とするように、移動端末機１１に対して制御を行い、さらに、ＣＬＰＣ測定における最小電力から最大電力とするように、移動端末機１１に対して制御を行う。そして、移動端末機試験装置１は、これらの制御に対応して移動端末機１１から出力される信号を受け、スロット毎の電力値を測定する。これにより、ステップサイズ＝１ｄＢにおける測定が終了する。
【００３５】
引き続き（ｆ）において、移動端末機試験装置１は、移動端末機１１のステップサイズを２ｄＢに設定する。そして、前述の（ｅ）と同様に、（ｇ）において、移動端末機試験装置１は、移動端末機１１の送信電力をＣＬＰＣ測定における最大電力から最小電力、最小電力から最大電力とするように制御し、スロット毎の電力値を測定する。
【００３６】
さらに、（ｈ）において、移動端末機試験装置１は、移動端末機１１のステップサイズを３ｄＢに設定する。そして、前述の（ｅ）、（ｇ）と同様に、（ｉ）において、移動端末機試験装置１は、移動端末機１１の送信電力をＣＬＰＣ測定における最大電力から最小電力、最小電力から最大電力とするように制御し、スロット毎の電力値を測定する。
【００３７】
このようにして、全てのステップサイズでの測定が完了すると、（ｊ）において、移動端末機試験装置１は、測定した各スロットの電力値を時系列に並べたグラフを表示する。
【００３８】
図１３は、上述した図１２において、移動端末機試験装置１が移動端末機１１の送信電力をＣＬＰＣ測定における最大電力から最小電力、最小電力から最大電力とするように制御する（ｅ）、（ｇ）、（ｉ）のシーケンスを詳細に示したシーケンス図である。以下、本図の図中に記した記号（ｋ）〜（ｗ）に従って、シーケンスを説明する。
【００３９】
（ｋ）において、移動端末機１１は、移動端末機試験装置１からの制御により、送信電力ＰｕｅをＣＬＰＣ測定における最大送信電力Ｐｍａｘ以上のＰｍａｘ＋αとした状態で送信を行っている。（ｌ）において、移動端末機試験装置１は、前述したダウンリンクのＴＰＣにより、移動端末機１１に送信電力低下を要求する。この要求を受けた移動端末機１１は、（ｍ）において、設定されているステップサイズＰｓ分だけ送信電力を低下させて送信を行う。このとき、移動端末機１１の送信電力Ｐｕｅは、Ｐｍａｘ＋α−Ｐｓとなる。
【００４０】
引き続き（ｎ）において、移動端末機試験装置１は、移動端末機１１に送信電力低下を要求し、これに対して移動端末機１１は、（ｏ）において、設定されているステップサイズＰｓ分だけ送信電力を低下させて送信を行う。このとき、移動端末機１１の送信電力Ｐｕｅは、Ｐｍａｘ＋α−２Ｐｓとなる。以下同様に、移動端末機試験装置１からの送信電力低下要求に対し、移動端末機１１は、設定されているステップサイズＰｓ分だけ送信電力を低下させて送信を行うことを繰り返す。
【００４１】
そして、（ｐ）における移動端末機試験装置１からの送信電力低下要求に対し、移動端末機１１は、（ｑ）において、設定されているステップサイズＰｓ分だけ送信電力を低下させて送信を行う。このとき、移動端末機１１の送信電力Ｐｕｅは、Ｐｍａｘ＋α−（ｎ−１）ＰｓからＰｍａｘ＋α−ｎＰｓとなる。ここで、ｎは自然数であり、移動端末機試験装置１から移動端末機１１に送信電力低下要求が送られた回数である。
【００４２】
このとき、（ｒ）において、移動端末機試験装置１は、移動端末機１１の送信電力Ｐｕｅが、ＣＬＰＣ測定における最小送信電力Ｐｍｉｎ以下となっているか否かを判断する。図１３の例では、Ｐｕｅ＝Ｐｍａｘ＋α−ｎＰｓ＝Ｐｍｉｎ−β≦Ｐｍｉｎと判定されている。また、図１３では省略しているが、移動端末機試験装置１は、本図の（ｍ）、（ｏ）、・・・の送信電力それぞれについて、この判断を行っている。
【００４３】
この判定を受け、（ｓ）において、移動端末機試験装置１は、前述したダウンリンクのＴＰＣにより、移動端末機１１に送信電力増加を要求する。この要求を受けた移動端末機１１は、（ｔ）において、設定されているステップサイズＰｓ分だけ送信電力を増加させて送信を行う。このとき、移動端末機１１の送信電力Ｐｕｅは、Ｐｍｉｎ−β＋Ｐｓとなる。以下同様に、移動端末機試験装置１からの送信電力増加要求に対し、移動端末機１１は、設定されているステップサイズＰｓ分だけ送信電力を増加させて送信を行うことを繰り返す。
【００４４】
そして、（ｕ）における移動端末機試験装置１からの送信電力増加要求に対し、移動端末機１１は、（ｖ）において、設定されているステップサイズＰｓ分だけ送信電力を増加させて送信を行う。このとき、移動端末機１１の送信電力Ｐｕｅは、Ｐｍｉｎ−β＋（ｍ−１）ＰｓからＰｍｉｎ−β＋ｍＰｓとなる。ここで、ｍは自然数であり、移動端末機試験装置１から移動端末機１１に送信電力増加要求が送られた回数である。
【００４５】
このとき、（ｗ）において、移動端末機試験装置１は、移動端末機１１の送信電力Ｐｕｅが、ＣＬＰＣ測定における最大送信電力Ｐｍａｘ以上となっているか否かを判断する。図１３の例では、Ｐｕｅ＝Ｐｍｉｎ−β＋ｍＰｓ≧Ｐｍａｘと判定されている。これにより、１つのステップサイズにおいて、移動端末機１１の送信電力をＣＬＰＣ測定における最大電力から最小電力、最小電力から最大電力とするように制御するシーケンスは終了する。なお、図１３では省略しているが、移動端末機試験装置１は、本図の（ｔ）、・・・の送信電力それぞれについて、この判断を行っている。
【００４６】
なお、図１３における移動端末機１１の送信電力Ｐｕｅの変化は理想値であり、この場合ｍ＝ｎとなる。実際には、設定されたステップサイズに対して、移動端末機１１からの送信電力の低下分又は増加分には誤差が生じる。
【００４７】
図１４は、移動端末機試験装置１の表示器１０に表示されたＣＬＰＣ機能の試験における測定結果の一例を示している。表示画面１５には、縦軸を電力Ｐ（単位ｄＢｍ、目盛の値については表記を省略している）、横軸を時間ｔとするグラフが表示されている。ここでは、スロット毎の電力値が階段状のグラフで表され、画面に向かって左側から右側に時系列に連続して並べられ、１スロット毎に変化した状態が示されている。図１４の区間イにおいては、移動端末機１の送信電力を１ｄＢステップで低下させるように制御したときの測定結果が示されており、同様に、区間ロは１ｄＢステップで増加、区間ハは２ｄＢステップで低下、区間ニは２ｄＢステップで増加させるように制御したときの測定結果が示されている。なお、実際には、区間ロと区間ハとの間、区間ニと区間ホとの間は、ステップサイズの設定が行われることによる時間経過があるが、移動端末機試験装置１の表示制御手段９は、その時間経過の分の測定データの表示を省略している。また、図１４では図示していないが、移動端末機試験装置１の判定手段８は、測定結果とＣＬＰＣ機能の試験の規格値とを対比し、異常と判断される場合は、表示制御手段９により異常を示す表示が表示器１０に表示される。
【００４８】
このような移動端末機試験装置の構成は、例えば特許文献１に開示されている。
【特許文献１】特開２００３−４６４３１
【発明の開示】
【発明が解決しようとする課題】
【００４９】
ところで、このような従来の移動端末機試験装置１は、移動端末機の製造ラインの検査装置としても用いられている。特に移動端末機を大量生産するような製造現場では、移動端末機の製造・検査にかかるコストを低減するため、移動端末機の検査時間（試験時間）を少しでも短くしたいとの要望がある。
【００５０】
上述したＣＬＰＣ機能の試験においては、移動端末機試験装置から移動端末機へのステップサイズの設定（図１２の（ｄ）、（ｆ）、（ｈ）のシーケンス）を１回行う毎に、数百ｍｓ程度の時間がかかっていた。対して、移動端末機の送信電力をＣＬＰＣ測定における最大→最小→最大と変化させる制御（図１２の（ｅ）、（ｇ）、（ｉ）のシーケンス）は、１つのステップサイズにつき数十ｍｓ〜数百ｍｓ程度の時間である。従って、移動端末機試験装置から移動端末機へのステップサイズの設定にかかる時間を如何に短縮するかが重要となる。
【００５１】
本発明は、以上のような課題に対し、移動端末機の送信電力制御機能を試験する際に、試験時間を短縮することができる移動端末機試験装置を提供することを目的とする。
【課題を解決するための手段】
【００５２】
上述の目的を達成するために、本発明の請求項１の移動端末機試験装置は、測定対象の移動端末機（１１）に信号を出力する送信手段（５）と、前記移動端末機の送信電力の変化量であるステップサイズを前記移動端末機に設定するための制御信号を前記送信手段から前記移動端末機に送信させるとともに、この設定されたステップサイズで送信電力を変化させるための制御信号を前記送信手段から前記移動端末機に送信させる制御部（２４）と、前記移動端末機からの送信信号を受信する受信手段（６）と、該受信手段で受信した前記送信信号のスロット毎の電力値を検出する解析部（７）とを備え、前記移動端末機の前記送信電力を前記制御部からの制御によって変化させたときの前記スロット毎の電力値を前記解析部によって検出する送信電力制御測定を、複数の前記ステップサイズそれぞれで実行する送信電力制御試験を行う移動端末機試験装置（２１）において、前記移動端末機に前記ステップサイズが設定される度に、この設定されたステップサイズを記憶する端末情報記憶手段（２２）を備え、前記制御部は、前記送信電力制御試験を行う前に最後に前記端末情報記憶手段に記憶された第１のステップサイズで前記送信電力を変化させて、第１の前記送信電力制御測定を実行し、且つその後に、前記第１のステップサイズと異なる第２のステップサイズを前記移動端末機に設定するように制御するとともに該第２のステップサイズを前記端末情報記憶手段に記憶させ、該第２のステップサイズで前記送信電力を変化させて、第２の前記送信電力制御測定を実行することを特徴とする。
【００５３】
また、本発明の請求項２の移動端末機試験装置は、請求項１の移動端末機試験装置において、前記制御部は、前記第１の送信電力制御測定を実行するときに、前記第１のステップサイズを測定実行ステップサイズとして記憶し、前記第２の送信電力制御測定を実行するときに、この測定実行ステップサイズとして記憶されていないステップサイズを前記第２のステップサイズとして前記移動端末機に設定するように制御することを特徴とする。
【００５４】
また、本発明の請求項３の移動端末機試験装置は、請求項１乃至２の移動端末機試験装置において、表示器（１０）と、前記解析部で検出されたスロット毎の電力値を時系列に連続して並べて前記表示器にグラフ表示する表示制御手段（２５）とを備え、前記表示制御手段は、複数の前記ステップサイズ別にそれぞれ前記電力値を時系列に連続して並べ、さらにこのステップサイズ別に並べた前記電力値を、前記ステップサイズが小さいものから順に並べてグラフ表示することを特徴とする。
【００５５】
また、本発明の請求項４の移動端末機試験装置は、請求項３の移動端末機試験装置において、前記解析部で検出された電力値が正常か異常かをスロット毎に判定する判定手段（８）を備え、前記表示制御手段は、前記判定手段で電力値が正常と判定されたスロットと異常と判定されたスロットとを前記グラフ中に異なる色で表示することを特徴とする。
【００５６】
また、本発明の請求項５の移動端末機試験装置は、請求項３の移動端末機試験装置において、前記解析部で検出された電力値が正常か異常かをスロット毎に判定する判定手段（８）と、前記表示制御手段によって表示される表示内容を設定する設定操作手段（２３）とを備え、前記表示制御手段は、前記グラフ中にマーカ（４１）を表示するとともに、前記設定操作手段の設定操作に基づいて、前記判定手段で電力値が異常と判定されたスロットの位置に前記マーカを表示することを特徴とする。
【００５７】
また、本発明の請求項６の移動端末機試験装置は、請求項３の移動端末機試験装置において、前記解析部で検出された電力値が正常か異常かをスロット毎に判定する判定手段（８）と、前記表示制御手段によって表示される表示内容を設定する設定操作手段（２３）とを備え、前記表示制御手段は、前記設定操作手段の設定操作に基づいて、前記判定手段で電力値が異常と判定されたスロットを含む連続する複数のスロットの電力値をグラフ表示することを特徴とする。
【００５８】
また、本発明の請求項７の移動端末機試験装置は、請求項６の移動端末機試験装置において、前記表示制御手段は、前記グラフ中にマーカ（４１）を表示するとともに、前記設定操作手段の設定操作に基づいて、前記判定手段で電力値が異常と判定されたスロットの位置に前記マーカを表示することを特徴とする。
【００５９】
また、本発明の請求項８の移動端末機試験装置は、請求項３の移動端末機試験装置において、前記表示制御手段は、移動可能なマーカ（４１）を前記グラフ中に表示し、前記移動端末機試験装置は、前記解析部で検出された電力値が正常か異常かをスロット毎に判定する判定手段（８）と、前記マーカを移動操作するための設定操作手段（２３）と、前記判定手段で電力値が異常と判定されたスロットの位置に、前記設定操作手段によって前記マーカが移動したとき、アラームを発生するアラーム発生手段（２６）とを備えたことを特徴とする。
【発明の効果】
【００６０】
このように、本願発明の移動端末機試験装置は、移動端末機にステップサイズが設定される度に、この設定されているステップサイズを記憶し、送信電力制御試験を行う前に最後に記憶されているステップサイズで第１の送信電力制御測定を実行し、且つその後に、この第１のステップサイズと異なる第２のステップサイズで送信電力制御測定を実行することにより送信電力制御試験を行う構成としているので、第１の送信電力制御測定の際に、移動端末機試験装置から移動端末機への第１のステップサイズの設定を省略することができ、送信電力制御試験の試験時間を短縮することができる。
【００６１】
また、本願の別な発明での移動端末機試験装置は、第１の送信電力制御測定を実行するときに、第１のステップサイズを測定実行ステップサイズとして記憶し、第２の送信電力制御測定を実行するときに、この測定実行ステップサイズとして記憶されていないステップサイズを前記第２のステップサイズとする構成としているので、送信電力制御試験の試験時間を短縮することができる。
【００６２】
また、本願の別な発明での移動端末機試験装置は、複数のステップサイズ別に検出したスロット毎の電力値をそれぞれ時系列に連続して並べ、さらにこのステップサイズ別に並べた前記電力値を、ステップサイズが小さいものから順に並べてグラフ表示しているので、測定したステップサイズの順と、表示において測定者が所望するステップサイズの順とが異なる場合でも、測定者が所望するステップサイズの順に測定結果を表示することができる。
【００６３】
また、本願の別な発明での移動端末機試験装置は、電力値が正常と判定されたスロットと異常と判定されたスロットとをグラフ中に異なる色で表示するので、電力値が正常なスロットと異常なスロットとを、測定者がグラフを見て容易に識別することができる。
【００６４】
また、本願の別な発明での移動端末機試験装置は、グラフ中にマーカを表示するとともに、操作に従って、電力値が異常と判定されたスロットの位置にマーカを表示するので、簡単な操作により、測定者が電力値が異常なスロットを容易に識別することができる。
【００６５】
また、本願の別な発明での移動端末機試験装置は、操作に従って、電力値が異常と判定されたスロットを含む連続する複数のスロットの電力値のグラフを表示するので、電力値が異常なスロットの近傍が拡大されて表示され、測定者がスロットの電力値が異常となった原因を調査するのに有用である。
【００６６】
また、本願の別な発明での移動端末機試験装置は、操作に従って、電力値が異常と判定されたスロットを含む連続する複数のスロットの電力値のグラフを表示し、さらに電力値が異常と判定されたスロットの位置にマーカを表示するので、測定者がスロットの電力値が異常となった原因を調査するのに有用である。
【００６７】
また、本願の別な発明での移動端末機試験装置は、電力値が異常と判定されたスロットの位置に、移動操作されたマーカが移動したとき、アラームを発生する構成としているので、測定者が電力値が異常なスロットを容易に識別することができる。
【発明を実施するための最良の形態】
【００６８】
以下、図面に基づいて、本発明の実施の形態を説明する。
【００６９】
図１は、本発明を適用した移動端末機試験装置２１の構成を示している。なお、従来の移動端末機試験装置１と同様の構成については、適宜説明を省略する。
【００７０】
図１の移動端末機試験装置２１は、接続端子１ａ、方向性結合器２、端末情報記憶手段２２、設定操作手段２３、制御部２４、送信手段５、受信手段６、解析部７、判定手段８、表示制御手段２５、表示器１０、アラーム発生手段２６から構成されている。また、設定操作手段２３は電力制御設定手段３を内包して構成されている。また、送信手段５は、電力制御要求手段５ａ、送信回路５ｂから構成されている。また、受信手段６は、受信回路６ａ、Ａ／Ｄ変換器６ｂ、メモリ６ｃから構成されている。また、解析部７は、スロット検出手段７ａ、スロット電力検出手段７ｂ、解析結果メモリ７ｃから構成されている。また、アラーム発生手段２６は、アラーム制御手段２６ａ、スピーカ２６ｂから構成されている。
【００７１】
ここで、接続端子１ａ、方向性結合器２、電力制御設定手段３、送信手段５、受信手段６、解析部７、判定手段８、表示器１０、さらに、送信手段５に含まれる電力制御要求手段５ａ、送信回路５ｂ、受信手段６に含まれる受信回路６ａ、Ａ／Ｄ変換器６ｂ、メモリ６ｃ、解析部７に含まれるスロット検出手段７ａ、スロット電力検出手段７ｂ、解析結果メモリ７ｃは、従来の移動端末機試験装置１と同様の構成である。
【００７２】
端末情報記憶手段２２は、移動端末機１１に設定されたステップサイズを記憶している。この記憶しているステップサイズは、後述する制御部２４により更新及び読み出しが可能となっている。
【００７３】
設定操作手段２３は、従来の移動端末機試験装置１の電力制御設定手段３の機能を有するとともに、表示画面の設定やマーカを移動する指示について測定者からの操作を受け付ける構成とされている。
【００７４】
制御部２４は、従来の移動端末機試験装置１の制御部４が有する機能の他に、設定操作手段２３で受け付けた設定や指示の情報を、表示制御手段２５やアラーム制御手段２６ａに伝えている。また、移動端末機試験装置２１から移動端末機１１にステップサイズの設定が行われる度に、そのステップサイズを端末情報記憶手段２２に記憶し、必要に際して端末情報記憶手段２２に記憶されているステップサイズを読み出す。
【００７５】
表示制御手段２５は、解析結果メモリ７ｃに記憶されたスロット毎の電力値を読み出し、受信手段６が受信した順、即ち時系列順に連続して並べてグラフ表示するための表示データを作成している。設定操作手段２３を介して測定者から指示があった場合は、スロット毎の電力値をステップサイズ別に時系列順に連続してそれぞれ並べ、さらに所定のステップサイズの順に並び替えた表示データを作成する。
【００７６】
アラーム発生手段２６は、アラーム制御手段２６ａ、スピーカ２６ｂから構成されている。アラーム制御手段２６ａは、判定手段８が異常と判定したスロットの表示データにおける位置の情報を表示制御手段２５から受けるとともに、設定操作手段２３によって移動するマーカの位置情報を制御部２４から受けている。そして、これらの情報が一致したとき、すなわち、表示器１０において、異常スロットの位置にマーカが表示されたときに、スピーカ２６ｂを駆動してアラーム音を出力させる。
【００７７】
このように構成された移動端末機試験装置２１の動作を、図２を用いて説明する。図２は、ＣＬＰＣ機能の試験について表したフローチャートである。ここでは、ＣＬＰＣ機能の試験、すなわち送信電力制御試験は、移動端末機１１のステップサイズを１ｄＢ、２ｄＢ、３ｄＢとし、それぞれのステップサイズについて、移動端末機１１の送信電力を制御したときの、移動端末機１１からの送信信号の電力値を測定する送信電力制御測定を行うものとして例示している。
【００７８】
まず、電力制御設定手段３からの情報により、制御部２４を介してＣＬＰＣ機能の試験を行うための設定が移動端末機試験装置２１の各部に対してなされ、電力制御設定手段３からの指令で測定が開始される（Ｓ２１）。
【００７９】
そして、電力制御要求手段５ａが送信回路５ｂに対して、移動端末機１１の送信電力をＣＬＰＣ測定規格における最大送信電力以上に制御するための制御信号を出力する。ここで、ＣＬＰＣ測定規格における最大送信電力は、移動端末機１１の最大送信電力規格値（物理的な最大送信電力）よりもやや小さい値が定められている。送信回路５ｂは、電力制御要求手段５ａからの制御信号を受け、これに対応した制御情報を方向性結合器２および接続端子１ａを介して移動端末機１１に出力し、移動端末機１１の送信電力をＣＬＰＣ測定規格における最大送信電力以上に設定させるように制御する（Ｓ２２）。
【００８０】
ここで、制御部２４は、端末情報記憶手段２２に記憶されているステップサイズを読み出す。このステップサイズは、移動端末機１１にこの時点で設定されているステップサイズと同じである。制御部２４は、移動端末機試験装置２１の各部に対して、この読み出したステップサイズに従って測定のためのパラメータ設定を行う。また、制御部２４は、自己の内部にこのステップサイズを測定実行ステップサイズとして記憶する（Ｓ２３）。
【００８１】
そして、電力制御要求手段５ａから移動端末機１１に対して送信要求がなされ、移動端末機１１がＣＬＰＣ測定規格における最大送信電力以上の送信電力での送信を開始する。そして、移動端末機１１からの信号は受信回路６ａで受信される。受信回路６ａで受信された信号は、Ａ／Ｄ変換器６ｂによってディジタルの波形データに変換され、メモリ６ｃへの波形データの記憶が開始される。それとともに、スロット検出手段７ａはメモリ６ｃへ記憶された波形データを読み出し、制御部２４又は電力制御要求手段５ａからの情報に基づいて各スロットの開始位置を検出する。スロット電力検出手段７ｂは、スロット検出手段７ａで検出されたスロットそれぞれの電力値を検出し、解析結果メモリ７ｃに記憶する（Ｓ２４）。スロット検出手段７ａ、スロット電力検出手段７ｂ、解析結果メモリ７ｃのこれらの動作は、メモリ６ｃへの波形データの記憶が終了するまで逐次行われる。
【００８２】
そして、電力制御要求手段５ａから移動端末機１１に対して、現在設定されているステップサイズ分だけ送信電力を低下させる要求がなされ、移動端末機１１は、現在設定されているステップサイズ分だけ送信電力を低下させて送信を継続する（Ｓ２５）。なお、この送信電力の変更はスロット単位で行われる。
【００８３】
ここで、制御部２４は、移動端末機１１の送信電力が、ＣＬＰＣ測定規格における最小送信電力以下となっているか否かの判定を行う（Ｓ２６）。ここで、移動端末機１１の最小送信電力規格値（物理的な最小送信電力）は、ＣＬＰＣ測定規格における最小送信電力以下となるようにされている。つまり、移動端末機１１は、ＣＬＰＣ測定規格における最小送信電力以下の送信電力で送信できるようにされている。移動端末機１１の送信電力が、ＣＬＰＣ測定規格における最小送信電力以下となっていない場合（Ｓ２６−Ｎｏ）は、さらに送信電力を低下させる制御を行う（Ｓ２５）。移動端末機１１の送信電力が、ＣＬＰＣ測定規格における最小送信電力以下となっている場合（Ｓ２６−Ｙｅｓ）は、電力制御要求手段５ａから移動端末機１１に対して、現在設定されているステップサイズ分だけ送信電力を増加させる要求がなされ、移動端末機１１は、現在設定されているステップサイズ分だけ送信電力を増加させて送信を継続する（Ｓ２７）。
【００８４】
そして、制御部２４は、移動端末機１１の送信電力が、ＣＬＰＣ測定規格における最大送信電力以上となっているか否かの判定を行う（Ｓ２８）。移動端末機１１の送信電力が、ＣＬＰＣ測定規格における最大送信電力以上となっていない場合（Ｓ２８−Ｎｏ）は、さらに送信電力を増加させる制御を行う（Ｓ２７）。移動端末機１１の送信電力が、ＣＬＰＣ測定規格における最大送信電力以上となっている場合（Ｓ２８−Ｙｅｓ）は、制御部２４は、ＣＬＰＣ測定規格における全てのステップサイズ設定について、上述した、移動端末機１１の送信電力を最大送信電力以上→最小送信電力以下→最大送信電力以上と制御してその送信電力を測定する送信電力制御測定を実施したか否かを判定する（Ｓ２９）。なお、制御部２４は、ＣＬＰＣ機能の試験を行うにあたり、ＣＬＰＣ機能の試験の規格で定められた送信電力制御測定を行うべきステップサイズ（ここの例では、１ｄＢ、２ｄＢ、３ｄＢの３つ）を、リストとして内部に有しており、このリストのステップサイズと、上述の自己に記憶された測定実行ステップサイズとを比較することにより、送信電力制御測定を実施したか否かを判定している。また、このリストは、設定操作手段２３を介して測定者が変更可能である。
【００８５】
全て実施していない場合（Ｓ２９−Ｎｏ）は、制御部２４は、送信電力制御測定を行うべきステップサイズのうち、測定実行ステップサイズとして記憶されていないステップサイズを未測定のステップサイズとして判断する。そして、この未測定と判断したステップサイズのいずれかを移動端末機１１に設定するよう電力制御要求手段５ａを制御し、電力制御要求手段５ａから移動端末機１１に対して、ステップサイズ設定を行う（Ｓ３０）。そして、制御部２４は、この設定したステップサイズを自己の内部に測定実行ステップサイズとして記憶する。このステップサイズの記憶は、既に記憶されている測定実行ステップサイズに追加されて記憶される。
【００８６】
制御部２４は、全てのステップサイズについて、移動端末機１１の送信電力の測定を実施したと判定する（Ｓ２９−Ｙｅｓ）と、メモリ６ｃへの波形データの記憶と、解析結果メモリ７ｃへの検出されたスロットの電力値の記憶とを終了する（Ｓ３１）。表示制御手段２５は、解析結果メモリ７ｃに記憶されている検出されたスロットの電力値を読み出し、これらの電力値をステップサイズ別に時系列に連続してそれぞれ並べ、さらに、そのステップサイズ別に並べたものを所定のステップサイズ順に並べて、グラフ表示するための表示データを作成する（Ｓ３２）。ここで、所定のステップサイズ順は、表示制御手段２５に、ＣＬＰＣ機能の試験の規格に従って、１ｄＢ、２ｄＢ、３ｄＢのステップサイズ順とする設定が初期値として設定されている。また、測定者からの設定操作手段２３を介した指示により、任意の順とすることも可能である。
【００８７】
そして、表示制御手段２５は、この表示データを表示器１０に表示させる（Ｓ３３）。なお、制御部２４に記憶されている測定実行ステップサイズは、制御部２４が、全てのステップサイズ設定について測定を実施したと判定した時点（Ｓ２９−Ｙｅｓ）又は次にＣＬＰＣの機能の試験を開始する時点（Ｓ２１）で消去される。
【００８８】
なお、上述した図２について、Ｓ２６、Ｓ２８において、制御部２４は、移動端末機１１の送信電力が、ＣＬＰＣ測定規格における最小送信電力以下又は最大送信電力以上となっているか否かの判定を行っているが、以下に説明する手順であっても良い。ＣＬＰＣ測定規格における最大送信電力と最小送信電力との電力差をステップサイズで除算することにより、そのステップサイズで、移動端末機１１の送信電力を最大から最小、又は最小から最大とするのに必要な制御の回数が予め想定できる。例えば、電力差が７３ｄＢであれば、ステップサイズ１ｄＢなら７３回、ステップサイズ２ｄＢなら３７回である。誤差等を考慮してこの回数に十分にマージンを持たせた実行回数を、それぞれのステップサイズ毎に予め決定しておく。そして、制御部２４は、移動端末機１１が最大送信電力となっている状態から、この実行回数分、送信電力を低下させる制御を行い、さらに続いて、この実行回数分、送信電力を増加させる制御を行う。
【００８９】
このようにすれば、移動端末機１１に特段の異常が無い限り、移動端末機１１の送信電力をＣＬＰＣ測定における最大と最小との間で変化させる制御を行うことができ、そして、制御部２４については、上述の最小送信電力以下又は最大送信電力以上となっているか否かの判定処理が不要となる。なお、前述のマージンにより、ＣＬＰＣ測定規格における最小送信電力以下となっていても送信出力を低下させ続けたり、ＣＬＰＣ測定規格における最大送信電力以上となっていても送信出力を増加させ続けたりするように制御される状態が発生する可能性があるが、その状態となっている測定データを無視するか、あるいは測定結果を出力する際にその測定データを除けば良い。
【００９０】
図３は、上述のＣＬＰＣ機能の試験について、移動端末機試験装置２１と移動端末機１１とのシーケンスを表した図である。以下、本図の図中に記した記号（Ａ）〜（Ｍ）に従って、シーケンスを説明する。
【００９１】
（Ａ）において、同軸ケーブルで接続された状態の移動端末機試験装置２１と移動端末機１１との間で、通信のやり取りが行われ、通信の接続の確立が行われる。この際、移動端末機１１に対して、初期値としてのステップサイズが設定される。このとき、（Ｂ）として、移動端末機試験装置２１は、移動端末機１１に設定したステップサイズを記憶する。
【００９２】
そして、（Ｃ）において、移動端末機試験装置２１でＣＬＰＣ機能の試験の開始が指示される。なお、（Ｂ）から（Ｃ）の間に、別な試験が行われる場合もあり、その際に移動端末機１１のステップサイズは変更されている場合もあるが、その都度、移動端末機試験装置２１はステップサイズを記憶する。
【００９３】
（Ｄ）において、移動端末機試験装置２１は、移動端末機１１の送信電力をＣＬＰＣ測定における最大送信電力以上とするように、移動端末機１１に対して制御を行う。なお、図３の例では、このとき移動端末機１１に設定されているステップサイズは２ｄＢであるとする。前述の通り、移動端末機試験装置２１は、このステップサイズが２ｄＢであることを記憶している。
【００９４】
（Ｅ）において、移動端末機試験装置２１は、自己が記憶しているステップサイズを読み出す。ここでは、移動端末機１１に設定されているステップサイズ＝２ｄＢが読み出される。
【００９５】
（Ｆ）において、移動端末機試験装置２１は、移動端末機１１の送信電力をＣＬＰＣ測定における最大電力から最小電力とするように、移動端末機１１に対して制御を行い、さらに、ＣＬＰＣ測定における最小電力から最大電力とするように、移動端末機１１に対して制御を行う。そして、移動端末機試験装置２１は、これらの制御に対応して移動端末機１１から出力される信号を受け、スロット毎の電力値を測定する。これにより、ステップサイズ＝２ｄＢにおける測定が終了する。
【００９６】
続いて（Ｇ）において、移動端末機試験装置２１は、移動端末機１１のステップサイズを、未測定のステップサイズの１ｄＢに設定するとともに、前述の（Ｂ）と同様に、（Ｈ）において、移動端末機１１に設定したステップサイズ＝１ｄＢを記憶する。そして、前述の（Ｆ）と同様に、（Ｉ）において、移動端末機試験装置２１は、移動端末機１１の送信電力をＣＬＰＣ測定における最大電力から最小電力、最小電力から最大電力とするように制御し、スロット毎の電力値を測定する。
【００９７】
さらに、（Ｊ）において、移動端末機試験装置２１は、移動端末機１１のステップサイズを、未測定のステップサイズの３ｄＢに設定するとともに、前述の（Ｂ）、（Ｈ）と同様に、（Ｋ）において、移動端末機１１に設定したステップサイズ＝３ｄＢを記憶する。そして、前述の（Ｆ）、（Ｉ）と同様に、（Ｌ）において、移動端末機試験装置２１は、移動端末機１１の送信電力をＣＬＰＣ測定における最大電力から最小電力、最小電力から最大電力とするように制御し、スロット毎の電力値を測定する。
【００９８】
このようにして、全てのステップサイズでの測定が完了すると、（Ｍ）において、移動端末機試験装置２１は、測定した各スロットの電力値を、測定したステップサイズ別に時系列に連続してそれぞれ並べ、このステップサイズ別に並べた電力値をさらに所定の順で並べてグラフ表示する。
【００９９】
なお、図３において、移動端末機試験装置２１が移動端末機１１の送信電力をＣＬＰＣ測定における最大電力から最小電力、最小電力から最大電力とするように制御する（Ｆ）、（Ｉ）、（Ｌ）のシーケンスの詳細は、従来の移動端末機試験装置１のシーケンスである図１３と同様である。
【０１００】
図４は、移動端末機試験装置２１の表示器１０に表示された解析結果の一例を示している。図４において、表示画面３１には、電力グラフ表示部３２、区分表示部３３、操作ボタン３４〜４０、マーカ４１が表示されている。
【０１０１】
電力グラフ表示部３２には、縦軸を電力Ｐ（通常、単位ｄＢｍ、目盛の値については表記を省略している）、横軸を時間ｔとし、測定結果としてのスロット毎の電力値が並べられて、階段状のグラフで表示されている。図４において、区間トはステップサイズ＝１ｄＢでの測定結果であり、区間チはステップサイズ＝２ｄＢ、区間リはステップサイズ＝３ｄＢの測定結果である。これらの区間ト、チ、リそれぞれにおいて、スロット毎の電力値が画面に向かって左側から右側に時系列に連続して並べられている。しかし、区間ト、チ、リの測定の順番は表示の順とは限らない。例えば前述の図３では、ステップサイズが２ｄＢ→１ｄＢ→３ｄＢの順に測定が行われている。すなわち、図４の区間チ、ト、リの順に測定が行われているが、表示制御手段２５により、区間ト、チ、リの順に並べられて表示される。
【０１０２】
区分表示部３３は、測定結果がどの区間（Ｓｔｅｐ）に区分されるかを測定者が把握できるようにするため、Ｓｔｅｐの区分を表示しているものである。区分表示部３３には、ＣＬＰＣ機能の試験の規格に対応したＳｔｅｐの記号Ｂ〜Ｇが表示されている。ここで、ＳｔｅｐＢの区間は、移動端末機１１の送信電力を１ｄＢステップで低下させるように制御する区間であり、以下同様に、ＳｔｅｐＣは１ｄＢステップで増加、ＳｔｅｐＤは２ｄＢステップで低下、ＳｔｅｐＥは２ｄＢステップで増加、ＳｔｅｐＦは３ｄＢステップで低下、ＳｔｅｐＧは３ｄＢステップで増加させるように制御する区間である。この区分は、電力グラフ表示部３２に表示される測定結果に対応して表示される。
【０１０３】
操作ボタン３４〜４０は表示画面３１に表示されており、設定操作手段２３としてのマウス等を測定者が操作することにより押下されて機能する。操作ボタン３４は、電力グラフ表示部３２が拡大表示されている場合に、図４のように全てのステップサイズの測定結果を表示させるためのものである。操作ボタン３５〜３９については後述する。操作ボタン４０は、電力グラフ表示部３２にマーカ４１を表示させるか否かを設定するためのものである。図４においては、マーカ４１を表示する状態に設定されている。
【０１０４】
マーカ４１は、電力グラフ表示部３２に表示可能となっており、設定操作手段２３を測定者が操作することにより、電力グラフ表示部３２の横軸方向に移動可能となっている。図４では、横軸方向へスロット単位で移動可能となっているスロットマーカを例示しているが、スロット単位でなく自由に移動可能なマーカであっても良い。
【０１０５】
図４の電力グラフ表示部３２において、ａ、ｂ、ｃ、ｄの各点は、判定手段８により異常と判定されたスロットである。ここでは、階段状のグラフの他の部分と識別可能に異なった色で表示している。例えば、異常と判定されたスロットの部分を赤色、階段状のグラフの他の部分を黒色により表示している。
【０１０６】
図５は、図４の画面における測定者の操作により、操作ボタン３５が押下されたときの表示画面３１を示している。操作ボタン３５が押下されると、表示制御手段２５は、区分表示部３３でＳｔｅｐＢ及びＳｔｅｐＣに区分される区間の測定データを、電力グラフ表示部３２の表示範囲全体に拡大して表示する。図５では、操作ボタン３５が押下されたことを測定者に示すため、操作ボタン３５が押下される前と異なった色で表示されている。
【０１０７】
同様に、操作ボタン３６が押下されると、区分表示部３３でＳｔｅｐＤ及びＳｔｅｐＥに区分される区間の測定データが拡大表示され、操作ボタン３７が押下されると、区分表示部３３でＳｔｅｐＦ及びＳｔｅｐＧに区分される区間の測定データが拡大表示される。また、これらの拡大表示に伴い、区分表示部３３の表示も、対応した区間を表示するものに変わる。
【０１０８】
図６は、図４の画面における測定者の操作により、操作ボタン３８が押下されたときの表示画面３１を示している。操作ボタン３８が押下されると、表示制御手段２５は、判定手段８により異常と判定されたスロットの位置に、マーカ４１を瞬時に移動させる。異常と判定されたスロットが複数ある場合は、画面に向かって左側に位置するスロットが優先されて選択される。図６では、ａ点のスロットにマーカ４１が表示されている。
【０１０９】
この状態からさらに操作ボタン３８が押下された場合は、現在のマーカ４１の位置から画面に向かって右側に位置するスロットのうち、現在のマーカ４１の位置に最も近い異常スロットが選択される。また、現在のマーカ４１の位置から画面に向かって右側に異常スロットが無い場合、画面に向かって最も左側に位置する異常スロットが選択される。つまり、図６の状態から操作ボタン３８を繰り返し押下すると、マーカ４１は、ａ点→ｂ点→ｃ点→ｄ点→ａ点→・・・の順に移動する。また、図６では、操作ボタン３８が押下されたことを測定者に示すため、操作ボタン３８が押下される前と異なった色で表示されている。
【０１１０】
図７は、図４の画面における測定者の操作により、操作ボタン３９が押下されたときの表示画面３１を示している。操作ボタン３９が押下されると、表示制御手段２５は、判定手段８により異常と判定されたスロットの位置に、マーカ４１を瞬時に移動させる。異常と判定されたスロットが複数ある場合は、画面に向かって左側に位置するスロットが優先されて選択される。図７では、ａ点のスロットにマーカ４１が表示されている。それとともに、表示制御手段２５は、マーカ４１が表示された異常スロットとその近傍のスロットのグラフを、電力グラフ表示部３２の表示範囲全体に拡大して表示する。この拡大表示される測定データの範囲は、設定操作手段２３を介した測定者の操作により設定可能である。
【０１１１】
この設定は、選択された異常スロットを含むＳｔｅｐＢ及びＣ、ＳｔｅｐＤ及びＥ、ＳｔｅｐＦ及びＧのいずれかの区分、選択された異常スロットを含むＳｔｅｐＢ、Ｃ、Ｄ、Ｅ、Ｆ、Ｇのいずれかの区分、選択された異常スロットの前ｍ個のスロットから選択された異常スロットの後ｎ個のスロットまでの範囲（ｍ、ｎは測定者が指定可能）等、これらの中から測定者が任意に選択可能である。図７では、選択された異常スロットを含むＳｔｅｐＢ、Ｃ、Ｄ、Ｅ、Ｆ、Ｇのいずれかの区分を拡大表示する設定がなされ、異常スロットａ点が含まれるＳｔｅｐＣが拡大表示された例である。なお、図７では、操作ボタン３９が押下されたことを測定者に示すため、操作ボタン３９が押下される前と異なった色で表示されている。
【０１１２】
この状態からさらに操作ボタン３９が押下された場合は、現在のマーカ４１の位置から画面に向かって右側に位置するスロット（拡大表示された結果、画面に表示されなくなったスロットも含む）のうち、現在のマーカ４１の位置に最も近い異常スロットが選択される。また、現在のマーカ４１の位置から画面に向かって右側に異常スロット（拡大表示された結果、画面に表示されなくなったスロットも含む）が無い場合、画面に向かって最も左側に位置する異常スロット（拡大表示された結果、画面に表示されなくなったスロットも含む）が選択される。つまり、図７の状態から操作ボタン３９を繰り返し押下すると、マーカ４１は、ａ点→ｂ点→ｃ点→ｄ点→ａ点→・・・の順に移動し、拡大表示される測定データの範囲の設定により、表示も変わる。
【０１１３】
以上の図４から図７においては、電力グラフ表示部３２におけるグラフ表示を、階段状のグラフを例として示したが、図８のように、各スロットの電力値を棒グラフで表し、この棒グラフを並べた表示であっても良い。図８の電力グラフ表示部３２において、ａ、ｂ、ｃ、ｄの各点は、判定手段８により異常と判定されたスロットであり、ここでは、グラフの他の部分と識別可能に異なった色で表示している。例えば、異常と判定されたスロットの棒グラフを赤色、正常と判定されたスロットの棒グラフを青色又は黄色により表示している。
【０１１４】
また、設定操作手段２３を介した測定者の操作により、マーカ４１は電力グラフ表示部３２の横軸方向に移動可能となっている。ここで、図４の状態から図６の状態にマーカ４１が移動すると、アラーム発生手段２６のアラーム制御手段２６ａは、異常スロットの位置にマーカが表示されたと判断して、スピーカ２６ｂを駆動してアラーム音を出力させる。なお、スピーカで音を出す代わりにLEDを点滅させたり、表示画面３１上にアラーム表示を行うようにしてもよい。また、移動端末機試験装置２１の外部にアラーム信号を出力する構成であっても良い。
【０１１５】
このように、移動端末機の送信電力をスロット単位で基地局側から制御するＣＬＰＣ機能とその試験は、ＴＤ−ＳＣＤＭＡ、Ｗ−ＣＤＭＡ、ＣＤＭＡ２０００等の通信方式で規格に定められて用いられており、本願発明は、これらの通信方式の移動端末機を試験する移動端末機試験装置として有用である。
【図面の簡単な説明】
【０１１６】
【図１】本発明の実施形態のブロック図
【図２】本発明の実施形態のフローチャート
【図３】本発明の実施形態における移動端末機試験装置と移動端末機とのシーケンス図
【図４】本発明の実施形態の表示例
【図５】本発明の実施形態の別な表示例
【図６】本発明の実施形態の別な表示例
【図７】本発明の実施形態の別な表示例
【図８】本発明の実施形態の別な表示例
【図９】Ｗ−ＣＤＭＡのアップリンクのフレームフォーマット
【図１０】従来の移動端末機試験装置のブロック図
【図１１】従来の移動端末機試験装置のフローチャート
【図１２】従来の移動端末機試験装置と移動端末機とのシーケンス図
【図１３】従来の移動端末機試験装置と移動端末機とのシーケンスの一部を示す図
【図１４】従来の移動端末機試験装置の表示例
【符号の説明】
【０１１７】
１ａ…接続端子、２…方向性結合器、３…電力制御設定手段、５…送信手段、５ａ…電力制御要求手段、５ｂ…送信回路、６…受信手段、６ａ…受信回路、６ｂ…Ａ／Ｄ変換器、６ｃ…メモリ、７…解析部、７ａ…スロット検出手段、７ｂ…スロット電力検出手段、７ｃ…解析結果メモリ、８…判定手段、１０…表示器、１１…移動端末機、２１…移動端末機試験装置、２２…端末情報記憶手段、２３…設定操作手段、２４…制御部、２５…表示制御手段、２６…アラーム発生手段、２６ａ…アラーム制御手段、２６ｂ…スピーカ、３１…表示画面、３２…電力グラフ表示部、３３…区分表示部、３４、３５、３６、３７、３８、３９、４０…操作ボタン、４１…スロットマーカ
【図１】
0004792432.tif 000002
【図２】
0004792432.tif 000003
【図３】
0004792432.tif 000004
【図９】
0004792432.tif 000005
【図１０】
0004792432.tif 000006
【図１１】
0004792432.tif 000007
【図１２】
0004792432.tif 000008
【図１３】
0004792432.tif 000009
【図１４】
0004792432.tif 000010
【図４】
0004792432.tif 000011
【図５】
0004792432.tif 000012
【図６】
0004792432.tif 000013
【図７】
0004792432.tif 000014
【図８】
0004792432.tif 000015